(57)【要約】【課題】歯科用照明装置として適切に口腔内を照明することができるとともに、必要に応じて光硬化性樹脂材料の意図しない硬化を抑制することが可能な歯科用照明装置を提供する。【解決手段】口腔内を照明可能な歯科用照明装置１であって、光源である白色ＬＥＤ３２、３２、８２、８２と、白色ＬＥＤからの出射光を反射して外部に出光可能に設けられた反射板３５、３５、７６、７６、８５、８５と、白色ＬＥＤからの出射光のうち所定の波長の光を減じて外部に出光可能とする切替手段２１、７１と、を備える。【選択図】図２
2010033743.tif 000002
【特許請求の範囲】
【請求項１】
口腔内を照明可能な歯科用照明装置であって、
光源である白色ＬＥＤと、
前記白色ＬＥＤからの出射光を反射して外部に出光可能に設けられた反射板と、
前記白色ＬＥＤからの前記出射光のうち所定の波長の光を減じて外部に出光可能とする切替手段と、を備える歯科用照明装置。
【請求項２】
前記切替手段は、
前記所定の波長の光を吸収し、他の波長の光を透過するフィルタと、
前記フィルタを前記白色ＬＥＤと前記反射板との間に挿入、及び脱出させる切替機構と、を備え、
前記フィルタの前記挿入時には、前記白色ＬＥＤからの出射光は前記フィルタを透過して前記反射板に達し、前記フィルタの前記脱出時には、前記白色ＬＥＤからの出射光は直接前記反射板に達することを特徴とする請求項１に記載の歯科用照明装置。
【請求項３】
前記反射板は、その板厚方向に密着及び離脱可能な少なくとも２枚の反射板を有し、
前記少なくとも２枚の反射板のうちの一方の前記反射板は、前記所定の波長の光を透過し、他の波長の光を反射する第一反射板であり、
前記少なくとも２枚の反射板のうちの他方の前記反射板は、少なくとも前記所定の波長の光を反射可能な第二反射板とされ、
前記切替手段は、前記第二反射板を前記第一反射板に前記密着及び離脱させるように移動させる切替機構を具備することを特徴とする請求項１又は２に記載の歯科用照明装置。
【請求項４】
前記所定の波長は、前記口腔内に用いられる歯科充填剤が硬化を開始する波長であることを特徴とする請求項１〜３のいずれか一項に記載の歯科用照明装置。
【請求項５】
前記所定の波長は、５００ｎｍ以下であることを特徴とする請求項１〜４のいずれか一項に記載の歯科用照明装置。
【請求項６】
前記所定の波長は、４３０ｎｍ〜５００ｎｍであることを特徴とする請求項１〜４のいずれか一項に記載の歯科用照明装置。
【発明の詳細な説明】
【技術分野】
【０００１】
本発明は、歯科において口腔内を照明する歯科用照明装置に関する。
【背景技術】
【０００２】
歯科治療等の際に口腔内を照明する装置として通常、無影灯が用いられる。無影灯とは、歯科医や歯科技工士の施術中でも口腔内に影が生じないように形成された照明である。これにより歯科医や歯科技工士は、施術中においても明確に患部を視認することができる。無影灯とするための手段として例えば一灯式で適切な凹凸を設けた反射板により光を提供する方法、多灯で光を提供する方法、及びその両方を備えた方法などを挙げることができる。
【０００３】
いずれの方法による歯科用照明装置であっても、少なくとも１つの光源を有している。当該光源として例えばハロゲンランプや蛍光ランプが用いられることが多い（例えば特許文献１、特許文献２）。しかし、ハロゲンランプや蛍光ランプは比較的発熱が大きく、排熱の課題があった。また、点灯、消灯を多く繰り返すという歯科用照明装置の性質上、ランプの寿命も改善すべきとの要望があった。
【０００４】
一方、ハロゲンランプや蛍光ランプに変えて白色ＬＥＤを用いた歯科用照明装置が提案されている（例えば特許文献３）。白色ＬＥＤは、ハロゲンランプや蛍光ランプに比べ、発熱量が小さく、寿命も長いという利点がある。また、消費電力も低く抑えることができる。
【特許文献１】特開２００２−３５２６０５号公報
【特許文献２】特開２００３−００７４７８号公報
【特許文献３】特開平１０−１６５４２３号公報
【発明の開示】
【発明が解決しようとする課題】
【０００５】
しかしながら、白色ＬＥＤを光源とする歯科用照明装置は、一部の施術の際に不具合を生じることがあった。具体的には、照明時に光硬化性樹脂材料を含有する歯科充填剤が、意図しない硬化を始めてしまうというものである。歯科充填剤は、その硬化前に口腔内の適切な位置に適切な態様で配置され、その後硬化させる。従って、硬化は適切なタイミングで開始されるべきであり、意図しないタイミングで硬化を開始してしまうことについて改善が必要であった。
【０００６】
そこで、本発明はかかる問題点に鑑み、歯科用照明装置として適切に口腔内を照明することができるとともに、必要に応じて光硬化性樹脂材料の意図しない硬化を抑制することが可能な歯科用照明装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、口腔内を照明可能な歯科用照明装置（１）であって、光源である白色ＬＥＤ（３２、３２、８２、８２）と、白色ＬＥＤからの出射光を反射して外部に出光可能に設けられた反射板（３５、３５、７６、７６、８５、８５）と、白色ＬＥＤからの出射光のうち所定の波長の光を減じて外部に出光可能とする切替手段（２１、７１）と、を備える歯科用照明装置を提供することにより前記課題を解決する。
【０００９】
請求項２に記載の発明は、請求項１に記載の歯科用照明装置（１）の切替手段（２１、７１）は、所定の波長の光を吸収し、他の波長の光を透過するフィルタ（２６、２６）と、フィルタを白色ＬＥＤ（３２、３２）と反射板（３５、３５）との間に挿入、及び脱出させる切替機構（２１）と、を備え、フィルタの挿入時には、白色ＬＥＤからの出射光はフィルタを透過して反射板に達し、フィルタの脱出時には、白色ＬＥＤからの出射光は直接反射板に達することを特徴とする。
【００１０】
請求項３に記載の発明は、請求項１又は２に記載の歯科用照明装置の反射板（７６、７６、８５、８５）は、その板厚方向に密着及び離脱可能な少なくとも２枚の反射板（７６、７６、８５、８５）を有し、少なくとも２枚の反射板のうちの一方の反射板（８５、８５）は、所定の波長の光を透過し、他の波長の光を反射する第一反射板であり、少なくとも２枚の反射板のうちの他方の反射板（７６、７６）は、少なくとも所定の波長の光を反射可能な第二反射板とされ、切替手段は、第二反射板を第一反射板に密着及び離脱させるように移動させる切替機構（７１）を具備することを特徴とする。
【００１１】
請求項４に記載の発明は、請求項１〜３のいずれか一項に記載の歯科用照明装置（１）における所定の波長は、口腔内に用いられる歯科充填剤が硬化を開始する波長であることを特徴とする。
【００１２】
請求項５に記載の発明は、請求項１〜４のいずれか一項に記載の歯科用照明装置（１）における所定の波長は、５００ｎｍ以下であることを特徴とする。
【００１３】
請求項６に記載の発明は、請求項１〜４のいずれか一項に記載の歯科用照明装置（１）における所定の波長は、４３０ｎｍ〜５００ｎｍであることを特徴とする。
【発明の効果】
【００１４】
本発明の歯科用照明装置によれば、施術者は、通常には白色による口腔内の照明を得ることができる。一方、光硬化性樹脂を含有する歯科充填剤等を使用するときで、該歯科充填剤等を硬化させたくない場合には、スイッチ操作等により手軽にその硬化を防止しつつ口腔内で施術することが可能となる。
【００１５】
本発明のこのような作用及び利得は、次に説明する発明を実施するための最良の形態から明らかにされる。
【発明を実施するための最良の形態】
【００１６】
以下、本発明を図面に示す実施形態に基づき説明する。
【００１７】
図１は、第一実施形態にかかる本発明の歯科用照明装置１の照明部１０に注目した外観斜視図である。歯科用照明装置１は、出光する部位である照明部１０と、該照明部１０を歯科ユニット等に連結させるとともに、照明部１０を任意の位置に留め置くためのアーム部２とを備えている。アーム部２は、歯科用照明装置の分野で用いられる通常のアームを適用することができる。これには例えば自在接手アーム等を挙げることができる。
【００１８】
照明部１０は光源を備えることにより光を出射する部位であり、その外観視では、図１のように、保持部材１１、把手１２、１２、フレーム１３、前面パネル１４、及びカバー１５を備えている。
保持部材１１は、フレーム１３とアーム部２とを連結する部材である。本実施形態では弓状に曲げられた部材の凸部の一部がアーム部２に取り付けられ、両端部がフレーム１３に連結されている。アーム部２と保持部材１１とは、その取り付け部分で保持部材１１が首振り及び回動自在に取り付けられ、利用時の便宜が図られている。
【００１９】
把手１２、１２は、フレーム１３の背面部（アーム部２側）から照明部１０の前面側（出光面側）に延在し、いわゆる持ち手を形成する部材である。使用者は当該把手１２、１２を掴んで照明部１０を引き寄せたり押し戻したりして任意の位置に移動させることができる。
【００２０】
フレーム１３は椀状の部材で、その外側には上記のように保持部材１１や把手１２、１２が具備されている。フレーム１３の内側には後述するように光源ユニット２０（図２等参照。）を配置することができる。
【００２１】
前面パネル１４は、椀状である上記フレーム１３の前面側開口部にかぶせられるように配置されるパネルであり、光を透過可能に形成されている。後述する光源ユニット２０からの光が前面パネル１４を透過して出光される。
【００２２】
カバー１５は、前面パネル１４の略中央で該前面パネル１４の前面側に備えられ、光を透過しない材料により形成されている。カバー１５は、後述する光源ユニット２０（図２等参照。）の特に光源３０の正面側に配置され、光源から直接外部に出射される光を遮断している。
【００２３】
照明部１０は、上記フレーム１３と前面パネル１４とに囲まれる空間内に光源ユニット２０を内包している。該光源ユニット２０から光が出射される。図２に光源ユニット２０の斜視図、図３に光源ユニット２０の分解斜視図を示した。図２、図３及び適宜示す図を参照しつつ光源ユニット２０について説明する。
【００２４】
光源ユニット２０は、切替手段としての切替装置２１、光源３０、及び反射板３５、３５を備えている。
切替装置２１は、可動部分を備える装置であり、後述するように外部への出射光を切り替える装置である。図４に切替装置２１の斜視図を示した。切替装置２１は、切替機構としての切替機２２、アーム２３、第一保持部材２４、及び第二保持部材２５、２５、を備え、さらにフィルタ２６、２６を有している。また、図２からわかるように切替装置２１は箱体２１ａの内側に納められている。
【００２５】
切替機２２は、本体２２ａ、及び可動部材２２ｂを有する。本体２２ａは電磁気的作用により可動部材２２ｂを図４に矢印Ａで示した方向に移動させることができる構成を具備している。従って、使用者がスイッチ（不図示）を操作させることにより本体２２ａを動作させることができ、これにより可動部材２２ｂが移動する。本体２２ａの構成はこのような動作を可能とするものであれば特に限定されるものではない。その中でも、可動部材２２ｂを移動させる時にのみ通電を必要とし、姿勢の保持時には通電を要しない態様の本体であることが好ましい。これには例えばラッチングソレノイドを挙げることができる。これにより発生熱量を最小限に抑えることが可能となり、歯科用照明装置１の寿命向上を図ることができる。
【００２６】
アーム２３は、棒状の部材で、その一端に設けられた支点２３ａを中心に回動自在に構成されている。また、アーム２３は、支点２３ａより長手方向内側（図４では紙面上方）に配置された接続点２３ｂで、切替機２２の可動部材２２ｂと回動自在に接続されている。従って、アーム２３は可動部材２２ｂの移動に連動することができる。詳しくは、可動部材２２ｂの移動により、支点２３ａを中心に回動する。
【００２７】
第一保持部材２４は、アーム２３のうち支点２３ａが備えられる端部とは反対側の端部に設けられる部材である。第一保持部材２４はいくつかの構成部材を有しているが、全体としては棒状の部材で、上記アーム２３に対してＴ字状に取り付けられている。従って第一保持部材２４は、アーム２３の回動に追随して図４に矢印Ｂで示した方向に移動することができる。
【００２８】
第二保持部材２５、２５は、第一保持部材２４にその一端を取り付けられ、切替機２２と同じ方向に延在する部材である。２つの第二保持部材２５、２５は、第一保持部材２４の長手方向に並列されている。従って、第二保持部材２５、２５は第一保持部材２４の移動に追随して移動することができ、図４に矢印Ｂ’、Ｂ’で示した方向に移動することが可能である。２つの第二保持部材２５、２５の間隔は適用される歯科用照明装置により適宜変更可能である。当該間隔は、後述するように、歯科用照明装置として組み立てられたときに、フィルタ２６、２６が適切にＬＥＤ３２（図２参照）と反射板３５、３５（図２参照）との間に配置可能であれば特に限定されるものではない。
【００２９】
フィルタ２６、２６は、所定の光学的特性を有する光学フィルタであり、第二保持部材２５、２５のうち第一保持部材２４と連結された端部とは反対側の端部に取り付けられている。当該フィルタ２６、２６は、歯科で使用される光硬化性樹脂材料を含有する歯科充填剤等が反応する（硬化を開始する）波長の光を吸収し、それ以外の波長の光を透過可能に形成された光学フィルタである。具体的には歯科に用いられる当該光硬化性樹脂材料は波長が５００ｎｍ以下の光に反応するものが多いので、フィルタ２６、２６も波長が５００ｎｍ以下の光を吸収し、他の波長の光を透過できるものが好ましい。さらに好ましくは４００ｎｍ〜５００ｎｍの波長の光を吸収するものである。ただし、これは使用される歯科充填剤等により適宜適用されることを妨げるものではなく、その範囲で変更することができる。
【００３０】
フィルタ２６、２６はその一端が第二保持部材２５、２５に取り付けられているので、該第二保持部材２５、２５に追随して図４に矢印Ｂ’、Ｂ’で示した方向に移動することができる。本実施形態のフィルタ２６、２６は、図４からわかるようにＬ字状を有しているが、これに限定されることなく、適宜必要な形状を採用することができる。
【００３１】
図２、図３に戻り光源３０について説明する。光源３０は１つのホルダー３１及び２つのＬＥＤ３２、３２（一方のＬＥＤ３２のみ図２、図３に表れ、他方のＬＥＤは図２、図３には表れない。）を備えている。
ホルダー３１は、板材が折り曲げられたように形成された断面略コ字状の部材で、対向する２つの部位が末広がり状とされている。ホルダー３１には、ＬＥＤ３２、３２を配置する部位や、他の部材に取り付けるための孔等が適宜設けられている。
【００３２】
ＬＥＤ３２、３２は、ホルダー３１のコ字状である対向する２つの部位のそれぞれの外側に取り付けられる。従って２つのＬＥＤ３２、３２は、それぞれ異なる方向に光を出射する。ＬＥＤ３２、３２は、いわゆる白色ＬＥＤであり、通常に入手可能な白色ＬＥＤを適用することができる。ＬＥＤ３２、３２は電気的にも電源に接続され、その作動時には照明の光源となる。
【００３３】
反射板３５、３５は、一方の面が反射面である湾曲した矩形板状の部材で、湾曲した内側面が反射面とされている。当該反射面は反射板３５、３５の長手方向に並列する単位反射面３５ａ、３５ａ、…の集まりで形成されており、各単位反射面３５ａ、３５ａ、…は反射板３５、３５の厚さ方向に凹であるシリンドリカル面を有している。これにより無影灯として光線を出光することが可能となる。
反射板３５、３５の湾曲の形状は通常の無影灯に適用される形状をそのまま用いることができる。これには例えばパラボリック形状や楕円焦点形状を挙げることができる。
【００３４】
以上の切替装置２１、光源３０、及び反射板３５、３５は次のように組み合わされる。すなわち、図２からわかるように、切替装置２１の一部が箱体２１ａの内側に納められる。光源３０は、ホルダー３１のコ字状である中央に具備される部位が箱体２１ａの一側面に取り付けられることにより固定される。このとき、フィルタ２６、２６（図４参照）の上記した移動により、該フィルタ２６、２６が、ＬＥＤ３２、３２と、反射板３５、３５との間に入り込み（挿入）、及び抜け出し（脱出）が可能であるように配置される。反射板３５、３５は、光源３０及びフィルタ２６、２６を２つの反射板３５、３５の間に包含するように配置される。
【００３５】
このように構成された光源ユニット２０を有する歯科用照明装置１は、以下に説明する動作をさせることにより、通常は適切に口腔内を照明することができるとともに、必要に応じて光硬化性樹脂材料（歯科充填剤）の意図しない硬化を抑制することを可能とする。図５に通常の照明時（図５（ａ））、及び光硬化性樹脂材料（歯科充填剤）の硬化抑制時（図５（ｂ））における光源ユニット２０の姿勢を示した。図５では、図２の紙面上方から見た光源ユニット２０を表している（箱体２１ａの記載は省略してある。）。分かりやすさのため、これ以外の歯科用照明装置１の構成は省略している。また、図６には、１つの例として、ＬＥＤ光の分光特性（相対強度％）、及びフィルタのフィルタリング特性（透過特性％）を示した。図６中、Ｉで示した線がＬＥＤ光の波長と相対強度との関係、ＩＩで示した線はフィルタの波長ごとの透過特性％をそれぞれ表している。
【００３６】
通常の口腔内観察では図５（ａ）に示すように、フィルタ２６、２６は、ＬＥＤ３２、３２と反射板３５、３５との間からは抜け出した姿勢（脱出姿勢）にある。これによればＬＥＤ３２、３２から出射した光は図６にＩで示した光が反射板３５、３５で反射し、その形状及び単位反射板３５ａ、３５ａ、…の効果により無影灯として口腔内を照明する。従って、口腔内が白色に照らし出され、その色彩（例えば歯茎の赤み等）を適切に判断することが可能となる。
【００３７】
一方、例えば口腔内の治療の１つとして光硬化性樹脂を含有する歯科充填剤等を用いるときには、施術者は手元のスイッチ等を利用して、切替装置を動作させ、フィルタ２６、２６を図５（ｂ）に示した位置に移動させる。これによりＬＥＤ２６、２６と反射板３５、３５との間にフィルタ２６、２６が入り込んだ姿勢（挿入姿勢）となる。これによれば、ＬＥＤ３２、３２から出射した光は図６にＩＩで示した特性を有するフィルタ２６、２６を透過した後、反射板３５、３５で反射し、その形状及び単位反射板３５ａ、３５ａ、…の効果により無影灯として口腔内を照明する。従ってこの時には、光硬化性樹脂材料を含有する歯科充填剤が硬化する波長の光が除外されており、その硬化を抑制することができる。そして、施術者は所定の施術をし、最終的には専用の照明を用いて歯科充填剤を硬化させる。
【００３８】
このように、本実施形態にかかる本発明の歯科用照明装置１によれば、施術者は、通常には白色による口腔内の照明を得ることができる。一方、光硬化性樹脂を含有する歯科充填剤を使用するときで、歯科充填剤を硬化させたくない場合には、スイッチ操作等により手軽にその硬化を防止しつつ口腔内で施術することが可能となる。
【００３９】
本実施形態では２つのＬＥＤ３２、３２により光を出射している例を示したが、使用されるＬＥＤの数はこれに限定されることなく適宜変更することができる。従って１つのＬＥＤが用いられてもよいし、３つ以上のＬＥＤが適用されてもよい。複数のＬＥＤが用いられる場合、特に多数のＬＥＤから光が出射されるときには、必ずしも全てのＬＥＤが上記したようなフィルタリングの対象である必要はなく、一部のＬＥＤがフィルタリングの対象となってもよい。これによっても光硬化樹脂を含有する歯科充填剤の硬化を抑制することは可能である。
【００４０】
図７は第二実施形態に係る本発明の歯科用照明装置のうち光源ユニット７０を示す斜視図である。第二実施形態に係る歯科用照明装置は、光源ユニット７０において第一実施形態に係る歯科用照明装置１と異なり、他の構成は歯科用照明装置１と共通する。従ってここでは光源ユニット７０についてのみ説明する。
【００４１】
光源ユニット７０は、切替手段としての切替装置７１、光源８０、及び固定反射板８５、８５を備えている。
切替装置７１は、可動部分を備える装置であり、外部への出射光を切り替える装置である。切替装置７１は、上記説明した切替装置２１のフィルタ２６の代わりに可動反射板７６が備えられている以外、切替装置２１と同じ構成を有している。従ってここでは可動反射板７６についてのみ説明し、他の構成は説明を省略する。
【００４２】
可動反射板７６、７６は、後述する固定反射板８５、８５と略同一の形状を有しており、一方の面が反射面である湾曲した矩形板状の部材で、湾曲した内側面が反射面とされている。該反射面は可動反射板７６、７６の長手方向に並列する単位反射面の集まりで形成されており、各単位反射面は可動反射板７６、７６の厚さ方向に凹であるシリンドリカル面を有している。これにより無影灯として光線を照射することが可能となる。
可動反射板７６、７６の湾曲の形状は通常の無影灯に適用される形状をそのまま用いることができる。これには例えばパラボリック形状や楕円焦点形状を挙げることができる。ここで可動反射板７６、７６は、ここに照射された光のうち、少なくとも光硬化性樹脂材料が硬化を開始する波長を反射する特性を有していればよい。従って、ここに照射された光の全ての波長を同じように反射するように構成されていてもよい。これにより後述するように適切な切り替えが可能となる。
【００４３】
このような可動反射板７６、７６は、その一端を第二保持部材７５、７５に取り付けられ、第一実施形態で説明したフィルタ２６、２６と同様に図７（ａ）に矢印Ｃで示した方向に移動することができる。
【００４４】
光源８０については、第一実施形態に係る歯科用照明装置１で説明した光源３０と同じ構成であり、上記記載と共通するので、ここでは説明を省略する。
【００４５】
固定反射板８５、８５は、湾曲した矩形板状の部材で、上記可動反射板７６、７６と略同一形状を有している。従って固定反射板８５、８５と可動反射板７６、７６とはその板厚方向に隙間なく密着して重ね合わせることができる。また、固定反射板８５、８５は、可動反射板７６、７６の単位反射板７６ａ、７６ａのシリンドリカル面に沿うようなシリンドリカル形状８５ａ、８５ａ、…が並列されて形成されている。
【００４６】
固定反射板８５、８５は、歯科で使用される光硬化性樹脂材料を含有する歯科充填剤等が反応する（硬化を開始する）波長の光を透過し、それ以外の波長の光を反射可能に形成されている。具体的には歯科に用いられる当該光硬化性樹脂材料は波長が５００ｎｍ以下の光に反応するものが多いので、固定反射板８５、８５も波長が５００ｎｍ以下の光を透過し、他の波長の光を反射できるものが好ましい。さらに好ましくは４００ｎｍ〜５００ｎｍの波長の光を透過するものである。ただし、これは使用される歯科充填剤等により適宜適用されることを妨げるものではなく、その範囲で変更することができる。
【００４７】
以上の切替装置７１、光源８０、及び固定反射板８５、８５は次のように組み合わされる。すなわち、図７（ａ）からわかるように、切替装置７１の一部が箱体７１ａの内側に納められる。光源８０は、ホルダー８１のコ字状である中央に具備される部位が箱体７１ａの一側面に取り付けられることにより固定される。このとき、可動反射板７６、７６は固定反射板８５、８５の背面に密着して重なるように配置される。固定反射板８５、８５は、光源８０を２つの固定反射板８５、８５の間に包含するように設置される。
【００４８】
このように構成された光源ユニット７０を有する歯科用照明装置１は、以下に説明する動作をさせることにより、通常は適切に口腔内を照明することができるとともに、必要に応じて光硬化性樹脂材料（歯科充填剤等）の意図しない硬化を抑制することを可能とする。図７（ａ）は通常の照明時、図７（ｂ）は光硬化性樹脂材料（歯科充填剤等）の硬化抑制時における光源ユニット７０の姿勢である。また、ここでは例示として歯科充填剤が５００ｎｍ以下の波長の光により硬化を開始するとともに、固定反射板８５、８５が、５００ｎｍ以下の波長の光を透過し、それ以外の波長の光を反射することができる特性を有するものとして説明する。
【００４９】
通常の口腔内観察では図７（ａ）に示すように、固定反射板８５と可動反射板７６とは重なるように密着している。これによればＬＥＤ８２、８２から出射した光のうち５００ｎｍより大きい波長の光は固定反射板８５で反射して出射される。また、５００ｎｍ以下の波長の光は、固定反射板８５を透過するが、その後ろに可動反射板７６が配置されているので、ここで反射して出射される。すなわちこの場合にはＬＥＤ８２、８２により出射された光の全てが適切に無影灯を構成する光として出射される。従って、口腔内が白色に照らし出され、その色彩（例えば歯茎の赤み等）を適切に判断することが可能となる。
【００５０】
一方、例えば口腔内の治療の１つとして光硬化性樹脂を含有する歯科充填剤を用いるときには、施術者は手元のスイッチなどを利用して、切替装置７１を動作させ、図７（ｂ）に示したように可動反射板７６、７６を移動させる。具体的には、図７（ｂ）からよくわかるように、可動反射板７６、７６を固定反射板８５、８５から離隔させ、その間に間隙を生じさせる。
これによれば、ＬＥＤ３２、３２から出射された光のうち５００ｎｍより大きい波長の光は固定反射板８５で反射して外部に出光される。また、５００ｎｍ以下の波長の光は固定反射板８５を透過し、上記間隙を透過して可動反射板７６、７６に達する。しかし、可動反射板７６、７６は上記のように固定反射板８５、８５から大きく離隔する位置にまで下げられているので、可動反射板７６、７６で反射した光は無影灯として出射する光とはなり得ず、５００ｎｍ以下の波長の光が口腔内に到達する量を大きく低減させることができる。従ってこの時には、５００ｎｍ以下の波長の光が除外された光により口腔内が照明されるので、光硬化性樹脂を含有する歯科充填剤の硬化を抑制することができる。そして、施術者は所定の施術をし、最終的には専用の照明を用いて歯科充填剤を硬化させる。
【００５１】
このように、第二実施形態にかかる本発明の歯科用照明装置によっても、施術者は、通常には白色による口腔内の照明を得ることができる。一方、光硬化性樹脂を含有する歯科充填剤を使用するときで、歯科充填剤を硬化させたくない場合には、スイッチ操作等により手軽にその硬化を防止しつつ口腔内で施術することが可能となる。
【００５２】
本実施形態では２つのＬＥＤにより光を出射している例を示したが、使用されるＬＥＤの数はこれに限定されることなく適宜変更することができる。従って１つのＬＥＤが用いられてもよいし、３つ以上のＬＥＤが適用されてもよい。
【００５３】
以上、現時点においてもっとも実践的であり、かつ、好ましいと思われる実施形態に関連して本発明を説明したが、本発明は本願明細書中に開示された実施形態に限定されるものではなく、特許請求の範囲及び明細書全体から読み取れる発明の要旨、又は思想に反しない範囲で適宜変更可能であり、そのような変更を伴う歯科用照明装置もまた本発明の技術的範囲に包含されるものとして理解されなければならない。
【図面の簡単な説明】
【００５４】
【図１】第一実施形態に係る本発明の歯科用照明装置の外観斜視図である。
【図２】第一実施形態に係る本発明の歯科用照明装置に備えられる光源ユニットの外観斜視図である。
【図３】図２に示した光源ユニットの分解斜視図である。
【図４】切替装置を説明するための図である。
【図５】光源ユニット（歯科用照明）の動作を説明するための図である。
【図６】波長と強度、又は波長とフィルタリング特性の関係を表すグラフである。
【図７】第二実施形態に係る本発明の歯科用照明装置に備えられる光源ユニットの外観斜視図である。
【符号の説明】
【００５５】
１  歯科用照明装置
２  アーム部
１０  照明部
１１  保持部材
１２  把手
１３  フレーム
１４  前面パネル
１５  カバー
２０  光源ユニット
２１  切替装置（切替手段）
２１ａ  箱体
２２  切替機（切替機構）
２２ａ  本体
２２ｂ  可動部材
２３  アーム（切替機構）
２３ａ  支点
２３ｂ  接続点
２４  第一保持部材（切替機構）
２５  第二保持部材（切替機構）
２６  フィルタ
３０  光源
３１  ホルダー
３２  白色ＬＥＤ
３５  反射板
３５ａ  単位反射板
７０  光源ユニット
７１  切替装置（切替手段）
７１ａ  箱体
７５  第二保持部材
７６  可動反射板（第二反射板）
８０  光源
８１  ホルダー
８２  白色ＬＥＤ
８５  固定反射板（第一反射板）
８５ａ  単位反射板
【図１】
2010033743.tif 000003
【図２】
2010033743.tif 000004
【図３】
2010033743.tif 000005
【図４】
2010033743.tif 000006
【図５】
2010033743.tif 000007
【図６】
2010033743.tif 000008
【図７】
2010033743.tif 000009